(57)【要約】  各々が表示パネルの各走査線に対応して設けられ、走査線ごとに発光素子駆動回路に接続された接続線と、駆動トランジスタの制御電極電圧を上記駆動トランジスタの他の電極の電圧に対して相対的に変化させて発光素子の発光状態を変化させるランプ電圧を生成するランプ電圧生成部と、走査線の走査に応じて上記ランプ電圧を走査線ごとに上記接続線に供給するランプ電圧ドライバと、を有する表示装置。
2007066550.tif 000002
【特許請求の範囲】
【請求項１】
データ信号を保持するキャパシタ、該保持されたデータ信号電圧に基づいて発光素子を駆動する駆動トランジスタを含む発光素子駆動回路及び前記発光素子を各々が有して行及び列からなるマトリクス状に配された複数の画素部からなるアクティブマトリクス型の表示パネルと、前記画素部の行ごとに設けられた走査線の各々を順次走査する走査ドライバと、前記走査ドライバによる走査に応じて前記データ信号をデータ線を介して前記画素部に供給するデータドライバと、を有する表示装置であって、
各々が前記表示パネルの各走査線に対応して設けられ、前記走査線ごとに前記発光素子駆動回路に接続された接続線と、
前記駆動トランジスタの制御電極電圧を前記駆動トランジスタの他の電極の電圧に対して相対的に変化させて前記発光素子の発光状態を変化させるランプ電圧を生成するランプ電圧生成部と
前記走査線の走査に応じて前記ランプ電圧を走査線ごとに前記接続線に供給するランプ電圧ドライバと、を有することを特徴とする表示装置。
【請求項２】
前記キャパシタの第１の端子は前記駆動トランジスタの制御電極に接続され、前記キャパシタの第２の端子は前記表示パネルの走査線ごとに前記接続線に接続され前記ランプ電圧が印加されることを特徴とする請求項１に記載の表示装置。
【請求項３】
前記ランプ電圧生成部は、前記表示パネルの全走査線を走査する書込期間内において少なくとも１の走査線に接続された画素部の発光素子が発光を開始するように前記ランプ電圧を調整することを特徴とする請求項１に記載の表示装置。
【請求項４】
前記ランプ電圧生成部は、前記ランプ電圧の傾斜を変化させて前記発光素子の発光タイミングを調整することを特徴とする請求項１に記載の表示装置。
【請求項５】
前記キャパシタの第１の端子は前記駆動トランジスタの制御電極に接続されるとともに前記キャパシタの第２の端子は所定電圧に接続され、前記駆動トランジスタの前記他の電極は前記表示パネルの走査線ごとに前記接続線に接続され前記ランプ電圧が印加されることを特徴とする請求項１に記載の表示装置。
【請求項６】
前記ランプ電圧生成部は、前記発光素子の発光期間における総発光量が前記データ信号の表す輝度に応じた発光量であるように前記ランプ電圧を調整することを特徴とする請求項１に記載の表示装置。
【請求項７】
前記ランプ電圧は三角波形状プロファイルを有することを特徴とする請求項１に記載の表示装置。
【請求項８】
前記データドライバは、前記データ信号に応じた電流を前記キャパシタに供給して電流駆動を行う電流駆動ドライバであることを特徴とする請求項１乃至７のいずれか１に記載の表示装置。
【請求項９】
前記発光素子駆動回路は前記駆動トランジスタの特性補償をなす補償回路を含むことを特徴とする請求項１乃至８のいずれか１に記載の表示装置。
【請求項１０】
前記複数の画素部の全てのキャパシタの第２の端子は前記接続線に接続され前記ランプ電圧が印加されることを特徴とする請求項１に記載の表示装置。
【請求項１１】
発光素子、データ信号を保持するキャパシタ、該保持されたデータ信号電圧に基づいて前記発光素子を駆動する駆動トランジスタを各々が有して行及び列からなるマトリクス状に配された複数の画素部からなるアクティブマトリクス型の表示パネルと、前記画素部の行ごとに設けられた走査線を順次走査する走査ドライバと、前記走査ドライバによる走査に応じて前記データ信号をデータ線を介して前記画素部に供給するデータドライバと、をする表示装置の駆動方法であって、
前記データ信号に応じた電圧を前記キャパシタに保持させるステップと、
前記表示パネルの走査線の走査に応じて、前記走査線ごとに前記駆動トランジスタの制御電極電圧を前記駆動トランジスタの他の電極の電圧に対して相対的に変化させて前記発光素子の発光状態を変化させる発光制御ステップと、を有することを特徴とする駆動方法。
【請求項１２】
前記キャパシタの第１の端子は前記駆動トランジスタの制御電極に接続され、前記発光制御ステップは前記キャパシタの第２の端子にランプ電圧を印加して前記発光素子の発光状態を変化させることを特徴とする請求項１０に記載の駆動方法。
【請求項１３】
前記発光制御ステップは、前記表示パネルの全走査線を走査する書込期間内において少なくとも１の走査線に接続された画素部の発光素子が発光を開始するように前記ランプ電圧を調整することを特徴とする請求項１１に記載の駆動方法。
【請求項１４】
前記キャパシタの第１の端子は前記駆動トランジスタの制御電極に接続されるとともに前記キャパシタの第２の端子は所定電圧に接続され、前記発光制御ステップは前記駆動トランジスタの前記他の電極にランプ電圧を印加して前記発光素子の発光状態を変化させることを特徴とする請求項１０に記載の駆動方法。
【請求項１５】
前記発光制御ステップは、前記表示パネルの全走査線を走査する書込期間内において少なくとも１の走査線に接続された画素部の発光素子が発光を開始するように前記ランプ電圧を調整することを特徴とする請求項１３に記載の駆動方法。
【請求項１６】
前記ランプ電圧は三角波形状プロファイルを有することを特徴とする請求項１１又は１３に記載の駆動方法。
【請求項１７】
前記データドライバは、前記データ信号に応じた電流を前記キャパシタに供給して電流駆動を行う電流駆動ドライバであることを特徴とする請求項１１乃至１６のいずれか１に記載の駆動方法。
【請求項１８】
前記画素部の各々は前記駆動トランジスタの特性補償をなす補償回路を含むことを特徴とする請求項１１乃至１７のいずれか１に記載の駆動方法。
【請求項１９】
前記発光制御ステップは、前記複数の画素部の全てのキャパシタの第２の端子に同時に前記ランプ電圧を印加することを特徴とする請求項１１に記載の駆動方法。
【発明の詳細な説明】
【技術分野】
【０００１】
本発明は、ＥＬ（Electroluminescent）素子やＬＥＤ（発光ダイオード）などの発光素子を駆動するための能動素子を含む表示装置及びその駆動方法に関し、特に、薄膜トランジスタ（ＴＦＴ；thin film transistor）を能動素子として含む表示装置及びその駆動方法に関する。
【背景技術】
【０００２】
ＴＦＴは、有機ＥＬディスプレイや液晶ディスプレイといったアクティブマトリクス型ディスプレイを駆動するための能動素子として広く使用されている。図１は、有機ＥＬ（Organic Electroluminescent）素子（ＯＥＬ）又は有機発光ダイオード（ＯＬＥＤ）１００の駆動回路の等価回路の一例を、一つの画素ＰＬi,jについて示している。【０００３】
図１を参照すると、この等価回路は、能動素子である２つのｐチャンネルＴＦＴ１０１，１０２と、キャパシタ（Ｃs）１０４とを含む。走査線Ｗsは選択ＴＦＴ１０１のゲートに接続され、データ線Ｗdは選択ＴＦＴ１０１のソースに接続され、一定の電源電圧Ｖddを供給する電源線Ｗzは駆動ＴＦＴ１０２のソースに接続されている。選択ＴＦＴ１０１のドレインは駆動ＴＦＴ１０２のゲートに接続されており、駆動ＴＦＴ１０２のゲートとソース間にキャパシタ１０４が形成されている。ＯＥＬ１００のアノードは駆動ＴＦＴ１０２のドレインに、そのカソードはアース電位（又は共通電位）にそれぞれ接続されている。【０００４】
走査線Ｗsに選択パルスが印加されると、スイッチとしての選択ＴＦＴ１０１がオンになりソースとドレイン間が導通する。このとき、データ線Ｗdから、選択ＴＦＴ１０１のソースとドレイン間を介してデータ電圧が供給され、キャパシタ１０４に蓄積される。このキャパシタ１０４に蓄積されたデータ電圧が駆動ＴＦＴ１０２のゲートとソース間に印加されるので、駆動ＴＦＴ１０２のゲート・ソース間電圧Ｖgsに応じたドレイン電流Ｉｄが流れ、ＯＥＬ１００に供給されてＯＥＬ１００は発光する。【０００５】
かかるアクティブマトリクス型ディスプレイにおいて、各走査線に順次選択パルス（走査パルス）を印加しつつ、入力映像データに応じたデータ信号をデータ線を介して各画素ＰＬi,jに供給することによって画像表示がなされる。【０００６】
しかしながら、従来のアクティブマトリクス型ディスプレイにおいては、表示データを１フレーム期間中、保持している。このような装置は、いわゆるホールド型表示装置と称されている。【０００７】
このように、フレーム期間中、表示データを保持し続けて表示を行うと、特に動画表示において画質劣化が生じてしまう。つまり、画像の輪郭がぼやけ、不鮮明となって認識される、あるいは疑似輪郭ノイズが生じるという問題があった。【０００８】
このような問題を解決するため、フレーム期間内の所定期間において発光素子の発光を停止させる構成について開示されている（特許文献１、２参照）。
【特許文献１】特表２００３−２２３１３６号公報（第５−６頁、図１，図２）
【特許文献２】特開２００３−５７０９号公報（第４頁、図１，図５）
【発明の開示】
【発明が解決しようとする課題】
【０００９】
本発明が解決しようとする課題には、上記した従来技術の欠点が一例として挙げられる。すなわち、従来技術及び上記文献等に開示された駆動回路、方法においては回路構成、動作が複雑であったり、その効果も限定的であるという問題がある。また、発光素子の発光又は非発光の時間、タイミングについて制限があり、発光駆動制御の自由度が低いという問題があった。【００１０】
本発明は、アクティブマトリクス駆動表示装置において、画像表示、特に動画表示の際に画像輪郭が不鮮明となる画質劣化や疑似輪郭ノイズを抑制し、高品質の画像表示が可能な表示装置及び駆動方法を提供する。また、低消費電力で、簡便な回路構成及び動作を有する表示装置及びその駆動方法を提供する。
【課題を解決するための手段】
【００１１】
本発明の表示装置は、データ信号を保持するキャパシタ、該保持されたデータ信号電圧に基づいて発光素子を駆動する駆動トランジスタを含む発光素子駆動回路及び上記発光素子を各々が有して行及び列からなるマトリクス状に配された複数の画素部からなるアクティブマトリクス型の表示パネルと、画素部の行ごとに設けられた走査線の各々を順次走査する走査ドライバと、走査ドライバによる走査に応じてデータ信号をデータ線を介して前記画素部に供給するデータドライバと、を有する表示装置であって、各々が表示パネルの各走査線に対応して設けられ、走査線ごとに発光素子駆動回路に接続された接続線と、駆動トランジスタの制御電極電圧を上記駆動トランジスタの他の電極の電圧に対して相対的に変化させて発光素子の発光状態を変化させるランプ電圧を生成するランプ電圧生成部と、走査線の走査に応じて上記ランプ電圧を走査線ごとに上記接続線に供給するランプ電圧ドライバと、を有することを特徴としている。【００１２】
本発明の駆動方法は、発光素子、データ信号を保持するキャパシタ、該保持されたデータ信号電圧に基づいて発光素子を駆動する駆動トランジスタを各々が有して行及び列からなるマトリクス状に配されたアクティブマトリクス型の表示パネルと、画素部の行ごとに設けられた走査線を順次走査する走査ドライバと、走査ドライバによる走査に応じてデータ信号をデータ線を介して画素部に供給するデータドライバと、を有する表示装置の駆動方法であって、データ信号に応じた電圧を上記キャパシタに保持させるステップと、表示パネルの走査線の走査に応じて、走査線ごとに上記駆動トランジスタの制御電極電圧を上記駆動トランジスタの他の電極の電圧に対して相対的に変化させて発光素子の発光状態を変化させる発光制御ステップと、を有することを特徴としている。
【図面の簡単な説明】
【００１３】
【図１】従来の発光素子駆動回路の等価回路の一例を示す図である。
【図２】本発明の実施例１であるアクティブマトリクス表示パネルを用いた表示装置の構成を示すブロック図である。
【図３】表示パネルの複数の画素部のうち、データ線Ｘｉ及び走査線Ｙｊに関連する画素部ＰＬj,iの構成を示す図である。
【図４】各走査線Ｙ１〜Ｙｎに印加される走査パルス及びランプ電圧ラインＷ１〜Ｗｎに印加されるランプ電圧Ｖrmpについての印加タイミング、及び発光素子（ＯＥＬ）の発光状態を模式的に示すタイミングチャートである。
【図５】画素ＰＬj,iの各ラインＹｊ，Ｘｉ，Ｗｊへの印加電圧、ランプ電圧Ｖrmp、駆動ＴＦＴのゲート電圧Ｖｇ、及び発光素子の発光状態を模式的に示すタイミングチャートである。
【図６】図５に示す場合よりも発光期間が長い（輝度が高い）データが書き込まれた場合について模式的に示すタイミングチャートである。
【図７】駆動トランジスタのゲート・ソース間電圧Ｖgsに対するドレイン電流（Id）の特性（Id−Ｖgs特性）を示すグラフである。
【図８】データ電圧Ｖdataが低輝度を表す場合の発光制御を模式的に示す図である。
【図９】ランプ電圧Ｖrmpがステップ状に変化するステップ電圧で印加される場合を模式的に示す図である。
【図１０】ランプ電圧のプロファイルが非対称である場合を模式的に示す図である。
【図１１】本発明の実施例２である表示装置の構成を示す図である。
【図１２】図１１に示す表示装置の複数の画素部のうち、データ線Ｘｉ及び走査線Ｙｊに接続された画素部ＰＬj,iの構成を示す図である。
【図１３】画素ＰＬj,iのラインＹｊ，Ｘｉ，Ｗｊへの印加電圧、ランプ電圧Ｖrmp、駆動トランジスタのゲート電圧Ｖｇ、及び発光素子の発光状態を模式的に示すタイミングチャートである。
【図１４】本発明の実施例３であり、データ線Ｘｉ（ｉ＝１，２，．．，ｍ）及び走査線Ｙｊ（ｊ＝１，２，．．，ｎ）に接続された画素部ＰＬj,iについて示している。
【図１５】スイッチＳＷ１〜ＳＷ３の状態、データラインＸｉ、印加ランプ電圧Ｖrmp、駆動トランジスタのゲート電圧Ｖｇ、及び発光素子の発光状態を模式的に示すタイミングチャートである。
【図１６】データ書き込みモード及び発光モード時におけるスイッチＳＷ１〜ＳＷ３の開閉を示す図である。
【図１７】本発明の実施例４である表示装置の構成を示す図である。
【図１８】図１７に示す表示装置の複数の画素部のうち、データ線Ｘｉ及び走査線Ｙｊに接続された画素部ＰＬj,iの構成を示す図である。
【図１９】図１７に示す表示装置の走査線Ｙ１〜Ｙｎに印加される走査パルス及びランプ電圧ラインＷに印加されるランプ電圧Ｖrmpの印加タイミング、及び発光素子の発光状態を模式的に示すタイミングチャートである。
【発明を実施するための最良の形態】
【００１４】
以下、本発明の実施例を図面を参照しつつ詳細に説明する。尚、以下に説明する図において、実質的に同等な部分には同一の参照符を付している。
【実施例１】
【００１５】
図２は本発明の実施例１であるアクティブマトリクス表示パネルを用いた表示装置１０を示している。この表示装置１０は、表示パネル１１、走査ドライバ１２、データドライバ１３、ランプ電圧ドライバ１４、コントローラ１５、及び発光素子駆動電源ＰＳ（以下、単に電源ＰＳともいう。）１６を備えている。【００１６】
表示パネル１１は、ｍ×ｎ個（ｍ，ｎは２以上の整数）の画素からなるアクティブマトリクス型の表示パネルであり、各々が平行に配置された複数のデータ線Ｘ１〜Ｘｍ（Ｘｉ：ｉ＝１〜ｍ）と、複数の走査線Ｙ１〜Ｙｎ（Ｙｊ：ｊ＝１〜ｎ）と、複数の画素部ＰＬ1,1〜ＰＬn,mを有している。画素部ＰＬ1,1〜ＰＬn,mは、データ線Ｘ１〜Ｘｍと走査線Ｙ１〜Ｙｎとの交差部分に配置され、全て同一の構成を有する。また、画素部ＰＬ1,1〜ＰＬm,nは電源線Ｚに接続されている。電源線Ｚには電源ＰＳ１６から発光素子駆動電圧（Ｖa）が供給される。【００１７】
さらに、表示パネル１１には走査線Ｙ１〜Ｙｎの各々に対応する接続線（ランプ電圧供給ライン）Ｗ１〜Ｗｎが設けられている。ランプ電圧供給ライン（以下、単にランプ電圧ラインという）Ｗ１〜Ｗｎは走査線毎に、すなわち、走査線ごとの共通接続線として設けられている。そして、後述するように、当該ランプ電圧ラインＷ１〜Ｗｎにはランプ電圧ドライバ１４からランプ電圧ラインごとに所定のタイミングでランプ電圧（傾斜電圧）が供給される。【００１８】
図３は、表示パネル１１の複数の画素部のうち、データ線Ｘｉ（ｉ＝１，２，．．，ｍ）及び走査線Ｙｊ（ｊ＝１，２，．．，ｎ）に関連する画素部ＰＬj,iについて示している。すなわち、画素部ＰＬj,iはデータ線Ｘｉ及び走査線Ｙｊに接続されている。より具体的には、それぞれ選択トランジスタ（Ｔｒ１）及び駆動トランジスタ（Ｔｒ２）であるＴＦＴ（薄膜トランジスタ）２１，２２と、データ保持用キャパシタＣｓ２４と、有機ＥＬ（エレクトロルミネッセンス）発光素子（ＯＥＬ）２５とが備えられている。選択トランジスタ、駆動トランジスタ及びキャパシタ２４は発光素子２５の駆動回路を構成している。なお、以下においては、２つのＴＦＴ２１，２２がＰチャネルＴＦＴの場合を例に説明する。【００１９】
選択ＴＦＴ（Ｔｒ１）２１のゲートは走査線Ｙｊに接続され、そのソースはデータ線Ｘｉに接続されている。選択ＴＦＴ２１のドレインには駆動ＴＦＴ（Ｔｒ２）２２の制御電極（ゲート）が接続されている。ＴＦＴ２２のソースは電源線Ｚに接続され、電源１６から電源電圧（正電圧Ｖa）が供給される。ＴＦＴ２２のドレインはＥＬ素子２５のアノードに接続されている。ＥＬ素子２５のカソードはアース接続されている。【００２０】
本実施例において、キャパシタ（Ｃｓ）２４の一端（第１の端子；電極Ｅ１）は駆動ＴＦＴの制御電極であるゲート（及び選択ＴＦＴ２１のドレイン）に接続され、他端（第２の端子；電極Ｅ２）はランプ電圧ラインＷｊを介してランプ電圧ドライバ１４に接続されている。つまり、各走査線Ｙｊに関連するキャパシタ（Ｃｓ）２４には、それぞれランプ電圧ラインＷ１〜Ｗｎを介してランプ電圧ドライバ１４から、所定の傾斜で時間的に変化するランプ電圧Ｖrmp,jが印加されるように接続されている。なお、以下においては説明の簡便さのため、ランプ電圧Ｖrmp,jを単にＶrmpとも表記する。【００２１】
表示パネル１１の走査線Ｙ１〜Ｙｎは走査ドライバ１２に接続され、またデータ線Ｘ１〜Ｘｍはデータドライバ１３に接続されている。コントローラ１５は、入力される映像信号に応じて表示パネル１１を階調駆動制御するための走査制御信号及びデータ制御信号を生成する。走査制御信号は走査ドライバ１２に供給され、データ制御信号はデータドライバ１３に供給される。【００２２】
走査ドライバ１２は、コントローラ１５から送出された走査制御信号に応じて表示用走査パルスを所定のタイミングで走査線Ｙ１〜Ｙｎに供給し、線順次走査がなされる。【００２３】
データドライバ１３は、コントローラ１５から送出されたデータ制御信号に応じて走査パルスが供給される走査線上に位置する画素部の各々に対する画素データ信号をデータ線Ｘ１〜Ｘｍを介して画素部（選択画素部）に供給する。非発光の画素部に対してはＥＬ素子を発光させることがないレベルの画素データ信号を供給する。すなわち、当該線順次走査に対応して画素ごとの発光輝度を示すデータ信号がデータ線Ｘ１〜Ｘｍを介して印加され、表示パネル１１の画像表示制御がなされる。【００２４】
コントローラ１５は表示装置１０Ａ全体の制御、すなわち走査ドライバ１２、データドライバ１３、ランプ電圧ドライバ１４、及び発光素子駆動電源１６の制御を行う。上記したように、ランプ電圧ドライバ１４はランプ電圧Ｖrmp,jをランプ電圧ラインＷｊに印加する。なお、ランプ電圧ドライバ１４はコントローラ１５の制御の下、ランプ電圧ラインＷｊへの印加電圧（ランプ電圧Ｖrmp）を生成するランプ電圧生成部、当該ランプ電圧Ｖrmpを調整するランプ電圧調整部及び、当該ランプ電圧を供給するランプ電圧ドライバとしての機能を含んでいる。【００２５】
図４は、表示パネル１１の各走査線Ｙ１〜Ｙｎに印加される走査パルス及びランプ電圧ラインＷ１〜Ｗｎに印加されるランプ電圧Ｖrmpについての印加タイミング、及び発光素子（ＯＥＬ）２５の発光状態（発光又は非発光）を模式的に示すタイミングチャートである。【００２６】
入力画像信号の各フレームにおいて、第１〜第ｎ走査線（Ｙ１〜Ｙｎ）には各走査線を選択する走査パルスＳＰが順次印加され、線順次走査が行われる。そして、各走査線の選択時（走査パルスＳＰがＯＮ）にデータドライバ１３からデータ電圧（図示しない）が供給され、画素データの書き込みが行われる。第１〜第ｎ走査線（Ｙ１〜Ｙｎ）の画素へのデータの書き込み（走査）の開始から終了までの期間が書込期間（又はアドレス期間：Ｔadr）である。【００２７】
より詳細には、線順次走査において、第１走査線（Ｙ１）の画素ＰＬ1,1〜ＰＬ1,mへの書き込みが終了してから所定時間（t0≧０）経過後、ランプ電圧ドライバ１４によって当該第１走査線に対応するランプ電圧ラインＷ１へのランプ電圧Ｖrmp,1が掃引（スイープ）される。後に詳述するように、当該ランプ電圧Ｖrmp,1の大きさに応じて発光素子（ＯＥＬ）２５が非発光状態から発光状態に変化し、その後さらに発光状態から非発光状態に変化する。【００２８】
第２〜第ｎ走査線（Ｙ２〜Ｙｎ）に関しても同様であり、当該走査線上の画素への書き込みが終了してから所定時間（t0≧０）経過後、ランプ電圧ドライバ１４によってランプ電圧ラインＷ２へのランプ電圧Ｖrmp,2がスイープされる。なお、ランプ電圧Ｖrmp,2は第１走査線へのランプ電圧Ｖrmp,1と同じ電圧プロファイルを有する。【００２９】
第３〜第ｎ走査線（Ｙ３〜Ｙｎ）に関しても同様であり、走査線の画素への書き込みが終了後、ランプ電圧ラインＷ２〜Ｗｎへのランプ電圧Ｖrmp,3〜Ｖrmp,nがスイープされる。【００３０】
かかる発光制御について、より詳細に説明する。図５は、画素ＰＬj,iの各ラインＹｊ，Ｘｉ，Ｗｊへの印加電圧、ランプ電圧Ｖrmp,j、駆動ＴＦＴ（Ｔｒ２）２２のゲート電圧Ｖｇ、及び発光素子（ＯＥＬ）２５の発光状態を示している。なお、図５においては、一般的に画素部ＰＬj,i（ｊ＝１〜ｎ、ｉ＝１〜ｍ）について説明する。【００３１】
第ｊ走査線Ｙｊに走査パルスＳＰが印加され（走査パルスＳＰがＯＮ）、当該走査線Ｙｊが選択されると、選択ＴＦＴ２１が導通し、データドライバ１３からの当該画素ＰＬj,iの輝度に応じたデータ信号ＤＰ（データ電圧Ｖdata）が選択ＴＦＴ２１を介して駆動ＴＦＴ２２のゲート（第１の端子：電極Ｅ１）に供給される。一方、キャパシタ２４の第２の端子（電極Ｅ２）にはランプ電圧ラインＷｊを介してランプ電圧Ｖrmpが印加されているので、キャパシタ２４には電圧Ｖrmp−Ｖdataに対応する電荷が蓄積され、当該電圧が保持される。そして、駆動ＴＦＴ２２にはゲート・ソース間電圧Ｖgsに応じてドレイン電流が流れる。【００３２】
図７は駆動ＴＦＴ２２のゲート・ソース間電圧Ｖgsに対するドレイン電流（Id）の特性（Id−Ｖgs特性）を示す。この図に示すように、駆動ＴＦＴ（Ｔｒ２）２２の閾値を−Ｖth（Ｖth＞０）としたとき、−Ｖgs＜−Ｖthであれば駆動ＴＦＴ２２には電流（Id）が流れ、発光素子（ＯＥＬ）２５は駆動され、発光する。すなわち、−Ｖgs＝（Ｖrmp−Ｖdata）−Ｖａ＜−Ｖthのとき、発光素子（ＯＥＬ）２５は発光する。【００３３】
再び、図５を参照すると、当該画素ＰＬj,iへの書き込みが終了した時点、又は書き込みが終了して所定時間経過後の時刻ｔ１における電圧Ｖ１からランプ電圧Ｖrmpのスイープが開始される。その後、上記条件Ｖrmp−Ｖdata＜Ｖａ−Ｖthを満たす時点（Ｔｓ）から駆動ＴＦＴ２２に電流が流れ始め、発光素子（ＯＥＬ）２５は発光を開始する。ランプ電圧Ｖrmpは時刻ｔｍ（Ｖrmp＝Ｖ２）において電圧Ｖ２から電圧Ｖ１に向けてスイープが反転する。そして、上記条件を満たさなくなる時点（Ｔｅ）まで発光素子（ＯＥＬ）２５は発光を維持し、その後発光を停止する。すなわち、発光素子（ＯＥＬ）２５は発光開始時刻Ｔsから発光停止時刻Ｔeまでの発光期間（発光期間の長さＴem）の間発光を維持する。【００３４】
なお、図５は、発光期間が短い（輝度が低い）データ、すなわち輝度を表すデータ電圧が小さいデータが書き込まれた場合について模式的に示している。図６は、発光期間が長い（輝度が高い）データが書き込まれた場合について模式的に示す図である。図５に示す場合と同じランプ電圧Ｖrmpがランプ電圧ラインに印加される。すなわち、電圧Ｖ１（時刻ｔ１）から電圧Ｖ２（時刻ｔｍ）までスイープし、さらに時刻ｔｍにおける電圧Ｖ２から電圧Ｖ１（時刻ｔ２）までスイープするランプ電圧Ｖrmpがランプ電圧ラインに印加される。しかし、この場合、輝度を表すデータ電圧（Ｖdata）は図５に示す場合に比べて大であるから、図５に示す場合の発光開始時刻Ｔsよりも早い時点（発光開始時刻Ｔs'）で発光を開始し、発光停止時刻Ｔeよりも遅い時点（発光停止時刻Ｔe'）で発光を停止する。従って、発光期間の長さＴemをデータ電圧Ｖdataの大きさに応じて制御することができる。【００３５】
なお、同一走査線上の画素であっても、その画素（発光素子）の発光期間は当該画素に供給されるデータ電圧Ｖdataの大きさによって異なる。そして、ランプ電圧生成部又はランプ電圧調整部としても機能するランプ電圧ドライバ１４は、コントローラ１５の制御の下、発光期間における総発光量がデータ信号（データ電圧）の表す輝度に応じた発光量であるようにランプ電圧を定める。かかるランプ電圧ドライバ１４の機能によって輝度制御、階調制御がなされる。【００３６】
以上、詳細に説明したように、走査線毎に設けられたランプ電圧ラインＷ１〜Ｗｎにランプ電圧Ｖrmpが印加されるので、ランプ電圧ライン毎に（走査線毎に）発光期間を制御することができる。かかる制御によってフレーム期間中表示データを保持し続けることを回避することができる。従って、画像表示、特に動画表示の際に画像輪郭が不鮮明となる画質劣化や疑似輪郭ノイズを抑制することができる。【００３７】
また、ランプ電圧ラインが走査線毎に設けられているので、全走査線の画素へのデータの書き込み（走査）が終了するのを待つことなく、ランプ電圧を印加することができる。従って、図４に示すように、書込期間（又はアドレス期間：Ｔadr）内であっても、データ書込みが終了した走査線に接続された画素の発光素子の発光を行うことができる。【００３８】
すなわち、書込期間（アドレス期間）と発光期間を分離する必要がない。従って、書込期間と発光期間を分離した場合に比べて発光素子が発光している発光期間を長くとることができ、輝度を高くすることができる。従って、単に上記した画質劣化等を回避できるばかりではなく、高輝度、低消費電力で、輝度制御を高精度に行うことができるなど、高性能な輝度制御が可能である。さらに、簡便な回路構成及び動作を有する表示装置を提供することができる。【００３９】
なお、上記した実施例において、トランジスタや発光素子の種類及びその極性、走査パルスＳＰ、データ電圧Ｖdata及びランプ電圧Ｖrmpの大きさ及び極性等は説明のための例示に過ぎない。要は、データ電圧Ｖdataの大きさ及びランプ電圧Ｖrmpのスイープに応じて駆動トランジスタ（Ｔｒ２）のスイッチングが制御されて発光素子の発光・非発光が切り換えられ、発光素子の発光期間の長さがデータ信号（データ電圧Ｖdata）の大きさに応じて制御されるように上記した素子の極性や電圧の大きさ及び極性等が選ばれていればよい。【００４０】
本実施例においては、ランプ電圧ラインＷｊ（ｊ＝１〜ｎ）を介してキャパシタ２４の第２の端子（Ｅ２）にランプ電圧Ｖrmp,jを印加し、駆動トランジスタ（Ｔｒ２）のゲート電圧を変化させている。一方、駆動トランジスタ（Ｔｒ２）のソースには、電源線Ｚを介して電源１６から一定電圧（Ｖa）が印加されている。これにより、駆動トランジスタ（Ｔｒ２）のゲートのソースに対する電圧（ゲート・ソース間電圧Ｖgs）を相対的に変化させることによって駆動トランジスタ（Ｔｒ２）のスイッチング制御、すなわち、発光状態の切替制御を行っている。【００４１】
上記したように、ランプ電圧Ｖrmpは三角波状プロファイルを有している。従って、例えば、図８に示すように、データ電圧Ｖdataが低輝度を表す場合であっても、微細かつ正確に当該輝度に応じた発光制御をおこなうことができる。従って、発光素子の駆動、及び輝度制御が容易になるという利点がある。【００４２】
また、ランプ電圧Ｖrmpは上記したような、リニアに変化する傾斜電圧に限らない。例えば、図９に示すように、電圧Ｖ１からＶ２まで、あるいは電圧Ｖ２からＶ１まで、ステップ状に変化するステップ電圧であって、等価的に上記した実施例と同様な発光素子の発光制御を行うことができるように構成されていればよい。ステップ電圧を利用しているので、電圧ステップの大きさ、及びステップ数で制御できるので、制御が容易であるという利点がある。【００４３】
あるいは、曲線状に変化する傾斜電圧、例えば単調に曲線状に変化する電圧をランプ電圧Ｖrmpとして用いることもできる。【００４４】
さらには、ランプ電圧Ｖrmpは上記したような、電圧Ｖ１からＶ２までの電圧傾斜、及び電圧Ｖ２からＶ１までの電圧傾斜の大きさが同じである必要はない、すなわち、電圧プロファイルが対称である必要はない。例えば、図１０に示すように、電圧Ｖ１からＶ２まで（時刻ｔ１から時刻ｔｍまで）の電圧傾斜の大きさが電圧Ｖ２からＶ１まで（時刻ｔｍから時刻ｔ２まで）の電圧傾斜の大きさよりも大きくすることができる。この場合、電圧プロファイルが対称な場合（例えば、実施例１の図５又は図６）に比べ、発光期間の長さ（Ｔem）が同じであっても発光開始時刻Ｔsをより早くすることができる。また、これとは逆の電圧プロファイルのランプ電圧Ｖrmpを用いた場合には、発光期間の長さ（Ｔem）が同じであっても発光開始時刻Ｔsをより遅くすることができる。すなわち、ランプ電圧Ｖrmpの電圧プロファイルによって発光期間（Ｔem）を変えずに発光期間をシフトすることが可能であるという利点がある。【００４５】
さらに、上記した実施例、改変例を適宜組み合わせて適用することも可能である。
【実施例２】
【００４６】
図１１は本発明の実施例２である表示装置１０の構成を示している。この表示装置１０は、表示パネル１１、走査ドライバ１２、データドライバ１３、ランプ電圧ドライバ１４、コントローラ１５、及びキャパシタ電源１６Ａを備えている。【００４７】
また、図１２は表示パネル１１の複数の画素部のうち、データ線Ｘｉ（ｉ＝１，２，．．，ｍ）及び走査線Ｙｊ（ｊ＝１，２，．．，ｎ）に接続された画素部ＰＬj,iについて示している。画素部ＰＬj,iには、それぞれ選択トランジスタ（Ｔｒ１）及び駆動トランジスタ（Ｔｒ２）であるＴＦＴ（薄膜トランジスタ）２１，２２と、データ保持用キャパシタＣｓ２４と、有機ＥＬ（エレクトロルミネッセンス）発光素子（ＯＥＬ）２５とが備えられている点は実施例１と同様である。【００４８】
本実施例においては、表示パネル１１の全ての画素のキャパシタＣｓ２４の第２の端子（電極Ｅ２）は共通接続線Ｚに接続されている。そして、共通接続線Ｚにはキャパシタ電源１６Ａからキャパシタ電圧Ｖcapが印加される。また、表示パネル１１には走査線Ｙ１〜Ｙｎの各々に対応する接続線（ランプ電圧ライン）Ｗ１〜Ｗｎが設けられている。つまり、ランプ電圧ラインＷ１〜Ｗｎは走査線毎の共通接続線として設けられている。そして、図１２に示すように、駆動トランジスタ（Ｔｒ２）２２のソースはランプ電圧ラインＷ１〜Ｗｎに接続され、駆動トランジスタ（Ｔｒ２）２２のソースには走査線毎にランプ電圧Ｖrmpが印加されるように構成されている。【００４９】
図１３は、画素ＰＬj,iの各ラインＹｊ，Ｘｉ，Ｗｊへの印加電圧、ランプ電圧Ｖrmp、駆動ＴＦＴ（Ｔｒ２）２２のゲート電圧Ｖｇ、及び発光素子（ＯＥＬ）２５の発光状態を示している。【００５０】
第ｊ走査線Ｙｊに走査パルスＳＰが印加され（走査パルスＳＰがＯＮ）、当該走査線Ｙｊが選択されると、選択ＴＦＴ２１が導通し、データドライバ１３からの当該画素ＰＬj,iの輝度に応じたデータ信号（データ電圧Ｖdata）が選択ＴＦＴ２１を介して駆動ＴＦＴ２２のゲート（第１の端子：電極Ｅ１）に供給される。一方、キャパシタ２４の第２の端子（電極Ｅ２）には接続線Ｚを介してキャパシタ電圧Ｖcapが印加されているので、キャパシタ２４には電圧Ｖcap−Ｖdataに対応する電荷が蓄積され、当該電圧が保持される。駆動ＴＦＴ２２にはゲート・ソース間電圧Ｖgsに応じてドレイン電流が流れる。そして、−Ｖgs＜−Ｖthであれば駆動ＴＦＴ２２には電流（Id）が流れ、発光素子（ＯＥＬ）２５は駆動され、発光する。すなわち、Ｖcap−Ｖdata＜Ｖrmp−Ｖthのとき、発光素子（ＯＥＬ）２５は発光する。【００５１】
上記した実施例と同様に、当該画素ＰＬj,iへの書き込みが終了した時点、又は書き込みが終了して所定時間（t0≧０）経過後の時刻ｔ１における電圧Ｖ３からランプ電圧Ｖrmpのスイープが開始される。その後、上記条件を満たす時点（Ｔｓ）から駆動ＴＦＴ２２に電流が流れ始め、発光素子（ＯＥＬ）２５は発光を開始する。ランプ電圧Ｖrmpは時刻ｔｍ（Ｖrmp＝Ｖ４）において電圧Ｖ４から電圧Ｖ３に向けてスイープが反転する。そして、上記条件を満たさなくなる時点（Ｔｅ）まで発光素子（ＯＥＬ）２５は発光を維持し、その後発光を停止する。すなわち、発光素子（ＯＥＬ）２５は発光開始時刻Ｔsから発光停止時刻Ｔeまでの発光期間（発光期間の長さＴem）の間発光を維持する。【００５２】
すなわち、本実施例においては、上記した実施例とは逆に、キャパシタ２４の第２の端子（電極Ｅ２）の電圧を固定し、駆動トランジスタ（Ｔｒ２）２２のソースの電圧をランプ電圧Ｖrmpによってスイープするようにし、上記実施例と同様に発光素子の発光期間のタイミング及びその長さを制御している。【００５３】
つまり、走査線毎に、駆動トランジスタ（Ｔｒ２）の制御電圧がランプ電圧Ｖrmpによってスイープされる構成を有していればよい。かかる構成によって、駆動トランジスタ（Ｔｒ２）のスイッチングがランプ電圧Ｖrmpのスイープに応じて制御され、発光期間が制御される。かかる制御によってフレーム期間中表示データを保持し続けることを回避することができる。従って、画像表示、特に動画表示の際に画像輪郭が不鮮明となる画質劣化や疑似輪郭ノイズを抑制することができる。【００５４】
また、走査線毎に設けられたランプ電圧ラインＷ１〜Ｗｎにランプ電圧Ｖrmpが印加されるので、ランプ電圧ライン毎に（走査線毎に）発光期間を制御することができる。さらに、ランプ電圧ラインが走査線毎に設けられているので、全走査線の画素へのデータの書き込み（走査）が終了するのを待つことなく、ランプ電圧を印加することができる。従って、図４に示す場合と同様に、書込期間（又はアドレス期間：Ｔadr）内であっても、データ書込みが終了した走査線に接続された画素の発光素子の発光を行うことができる。また、書込期間（アドレス期間）と発光期間を分離する必要がない。従って、書込期間と発光期間を分離した場合に比べて発光素子が発光している発光期間を長くとることができ、輝度を高くすることができる、輝度制御を高精度に行うことができるなど、高性能な輝度制御が可能である。【００５５】
上記した実施例と同様に、トランジスタや発光素子の種類及びその極性、走査パルスＳＰ、データ電圧Ｖdata及びランプ電圧Ｖrmpの大きさ、極性等は説明のための例示に過ぎない。要は、データ電圧Ｖdataの大きさ及びランプ電圧Ｖrmpのスイープに応じて駆動トランジスタ（Ｔｒ２）のスイッチングが制御されて発光素子の発光・非発光が切り換えられ、発光素子の発光期間の長さがデータ電圧Ｖdataの大きさに応じて制御されるように上記した電圧の大きさ、極性等が選ばれていればよい。【００５６】
本実施例においては、表示パネル１１の全ての画素のキャパシタＣｓ２４の第２の端子（電極Ｅ２）には一定電圧（Ｖcap）が印加されている。一方、駆動トランジスタ（Ｔｒ２）のソースには、走査線毎の共通接続線であるランプ電圧ラインＷｊ（ｊ＝１〜ｎ）を介してランプ電圧Ｖrmp,jが印加されている。これにより、駆動トランジスタ（Ｔｒ２）のゲートのソースに対する電圧（ゲート・ソース間電圧Ｖgs）を相対的に変化させることによって駆動トランジスタ（Ｔｒ２）のスイッチング制御、すなわち、発光状態の切替制御を行っている。
【実施例３】
【００５７】
図１４は本発明の実施例３である表示パネル１１の複数の画素部のうち、データ線Ｘｉ（ｉ＝１，２，．．，ｍ）及び走査線Ｙｊ（ｊ＝１，２，．．，ｎ）に接続された画素部ＰＬj,iについて示している。【００５８】
アナログデータをピクセルに書き込み、発光輝度をアナログ的に変調して輝度制御を行うアナログ駆動方式には、上記実施例の如くデータ指定を電圧で行う電圧指定方式の他にデータ指定を電流で行う電流指定方式がある。かかるアナログ駆動方式ではＴＦＴや有機ＥＬ素子等の特性ばらつきが問題となる。そこで、このようなＴＦＴ等の素子特性のばらつきを補償するために、電圧プログラム方式や電流プログラム方式が用いられる場合がある。例えば、国際電子デバイス会議(International Electron Devices Meeting：IEDM)のダイジェストIEDM98の875-878頁に開示されているサーノフ社(Sarnoff Corp.)他による電流プログラム方式、電圧プログラム方式がある。【００５９】
本実施例において、表示パネル１１は、いわゆる電流プログラム方式に適応した回路構成を有している。より具体的には、画素部ＰＬj,iには、駆動トランジスタ（Ｔｒ２）２２及びキャパシタＣｓ２４、及び電流源３１、それぞれがＴＦＴ等のトランジスタからなるスイッチＳＷ１〜ＳＷ３が設けられている。すなわち、画素部ＰＬj,iは、４トランジスタの電流プログラムピクセル回路として構成されている。【００６０】
なお、データドライバ１３は定電流源として構成され、画素部ＰＬj,iにはデータドライバのデータ線Ｘｉに対応する電流源３１からデータ電流Ｉdataが供給されるように構成されている。【００６１】
実施例１と同様に、駆動トランジスタ（Ｔｒ２）２２のソースは電源線Ｚに接続され、キャパシタ（Ｃｓ）２４の第２の端子（電極Ｅ２）はランプ電圧ラインＷｊに接続されている。つまり、キャパシタ（Ｃｓ）２４には、ランプ電圧ラインＷｊを介してランプ電圧ドライバ１４から、ランプ電圧Ｖrmp,jが印加されるように構成されている。【００６２】
スイッチＳＷ１〜ＳＷ３は、走査ドライバ１２からの走査パルス信号及び／又はコントローラ１５からの制御信号に基づいて開閉する。より詳細には、キャパシタ（Ｃｓ）２４へのデータ書き込みモード、又は発光素子（ＯＥＬ）２５を発光させる発光モードに応じてそのＯＮ／ＯＦＦが制御される。【００６３】
図１５、１６を参照して、本実施例における発光制御について、より詳細に説明する。
図１５は、スイッチＳＷ１〜ＳＷ３のＯＮ／ＯＦＦ状態、データラインＸｉ、及びランプ電圧ラインＷｊへの印加ランプ電圧Ｖrmp、駆動ＴＦＴ（Ｔｒ２）２２のゲート電圧Ｖｇ、及び発光素子（ＯＥＬ）２５の発光状態を示している。【００６４】
まずデータ書き込みモードにおいて（図１６）、第ｊ走査線Ｙｊを選択する走査制御信号に応答してスイッチＳＷ１及びＳＷ２が閉じられる（ＯＮ）とともにスイッチＳＷ３が開かれる（ＯＦＦ）。これにより、データラインＸｉにはデータ電流Ｉdataが供給され、データ書き込みが行われる。なお、このとき、スイッチＳＷ３はＯＦＦなので発光素子（ＯＥＬ）２５は発光しない。【００６５】
そして、データ電流Ｉdataの供給によってキャパシタ２４には電圧Ｖrmp−Ｖdataに対応する電荷が蓄積され、当該電圧が保持される。そして、データ電流Ｉdata供給によるデータ書き込みが終了後、ランプ電圧Ｖrmpを一端、駆動ＴＦＴ２２が導通しない電圧（Ｖ１とする）に設定する。【００６６】
当該画素ＰＬj,iへの書き込みが終了した時点、又は書き込みが終了して所定時間経過後の時刻ｔ１における電圧Ｖ１からランプ電圧Ｖrmpのスイープが開始される。その後、駆動ＴＦＴ２２が導通する条件（Ｖrmp−Ｖdata＜Ｖａ−Ｖth）を満たす時点（Ｔｓ）から駆動ＴＦＴ２２に電流が流れ始め、発光素子（ＯＥＬ）２５は発光を開始する。ランプ電圧Ｖrmpは時刻ｔｍ（Ｖrmp＝Ｖ２）において電圧Ｖ２から電圧Ｖ１に向けてスイープが反転される。そして、上記条件を満たさなくなる時点（Ｔｅ）まで発光素子（ＯＥＬ）２５は発光を維持し、その後発光を停止する。すなわち、発光素子（ＯＥＬ）２５は発光開始時刻Ｔsから発光停止時刻Ｔeまでの発光期間（発光期間の長さＴem）の間発光を維持する。【００６７】
従って、上記した如く、電流書き込み型（電流指定方式）の表示装置にも適用することが可能である。すなわち、電流書き込み型であっても、上記した実施例で説明した電圧書き込み型の表示装置の場合と同様な発光期間制御ができる。つまり、電流書き込み型であっても、駆動トランジスタの制御電極電圧を他の電極の電圧に対して相対的に変化させて発光素子の発光状態を変化させればよい。【００６８】
また、本実施例において説明したように、駆動トランジスタ等の素子特性のばらつきを補償する補償回路を有する場合にも適用でき、電流プログラム方式に限らず電圧プログラム方式にも適用することができる。【００６９】
さらに、電圧プログラム方式及び電流プログラム方式の駆動回路は上記したものに限らず、種々の電圧プログラムピクセル回路及び電流プログラムピクセル回路に適用することができる。例えば、カレントミラーピクセル回路等にも適用することができる。【００７０】
なお、トランジスタや発光素子の種類及びその極性、走査パルスＳＰ、データ電圧Ｖdata及びランプ電圧Ｖrmpの大きさ及び極性等は説明のための例示に過ぎない。データ電圧Ｖdataの大きさ及びランプ電圧Ｖrmpのスイープに応じて駆動トランジスタ（Ｔｒ２）のスイッチングが制御されて発光素子の発光・非発光が切り換えられ、発光素子の発光期間の長さがデータ電圧Ｖdataの大きさに応じて制御されるように上記した素子の極性や電圧の大きさ及び極性等が選ばれていればよい。【００７１】
かかる制御によってフレーム期間中表示データを保持し続けることを回避することができる。従って、画像表示、特に動画表示の際に画像輪郭が不鮮明となる画質劣化や疑似輪郭ノイズを抑制することができる。【００７２】
さらに、本実施例における表示装置は、上記実施例において説明した種々の利点を有している。例えば、走査線毎に発光期間を制御することができる。また、書込期間（アドレス期間：Ｔadr）内であっても発光素子の発光を行うことができ、アドレス期間と発光期間を分離する必要がないため、書込期間と発光期間を分離した場合に比べて発光素子が発光している発光期間を長くとることができ、輝度を高くすることが可能である。【００７３】
従って、単に画質劣化等を回避できるばかりではなく、高輝度、低消費電力で、輝度制御を高精度に行うことができるなど、高性能な輝度制御が可能である。さらに、簡便な回路構成及び動作を有する表示装置を提供することができる。
【実施例４】
【００７４】
図１７は、本発明の実施例４である表示装置１０の構成を示している。この表示装置１０は、表示パネル１１、走査ドライバ１２、データドライバ１３、ランプ電圧ドライバ１４、コントローラ１５、及びキャパシタ電源１６Ａを備えている。【００７５】
また、図１８は表示パネル１１の複数の画素部のうち、データ線Ｘｉ（ｉ＝１，２，．．，ｍ）及び走査線Ｙｊ（ｊ＝１，２，．．，ｎ）に接続された画素部ＰＬj,iについて示している。画素部ＰＬj,iには、それぞれ選択トランジスタ（Ｔｒ１）及び駆動トランジスタ（Ｔｒ２）であるＴＦＴ（薄膜トランジスタ）２１，２２と、データ保持用キャパシタＣｓ２４と、有機ＥＬ（エレクトロルミネッセンス）発光素子（ＯＥＬ）２５とが備えられている点は実施例１等と同様である。【００７６】
本実施例においては、全ての画素部ＰＬ1,1〜ＰＬn,mのキャパシタ（Ｃｓ）２４の電極Ｅ２はランプ電圧ラインＷを介してランプ電圧ドライバ１４に接続されている。すなわち、ランプ電圧ラインＷは表示パネル１１の全ての画素部ＰＬ1,1〜ＰＬn,mのキャパシタ２４に共通の接続線として構成されている。そして、表示パネル１１の全ての画素のキャパシタ２４はランプ電圧ドライバ１４からランプ電圧Ｖrmpが印加されるように接続されている。また、全ての画素の駆動トランジスタ（Ｔｒ２）２２のソースは電源線Ｚに接続されている。電源線Ｚには電源ＰＳ１６から発光素子駆動電圧（Ｖa）が供給される。【００７７】
図１９は、表示パネル１１の各走査線Ｙ１〜Ｙｎに印加される走査パルス及びランプ電圧ラインＷに印加されるランプ電圧Ｖrmpの印加タイミング、及び発光素子（ＯＥＬ）２５の発光状態を模式的に示すタイミングチャートである。【００７８】
入力画像信号の各フレームにおいて、第１〜第ｎ走査線（Ｙ１〜Ｙｎ）には走査パルスＳＰが順次印加され（アドレス期間：Ｔadr）、線順次走査が行われる。そして、各走査線の選択時にデータドライバ１３からデータ電圧（図示しない）が供給され、画素データの書き込みが行われる。全走査線（Ｙ１〜Ｙｎ）の画素へのデータの書き込み（走査）の開始から終了までの期間がアドレス期間（Ｔadr）である。【００７９】
アドレス期間が終了後、ランプ電圧ドライバ１４によってランプ電圧ラインＷに印加されるランプ電圧Ｖrmpが掃引される。より詳細には、アドレス期間が終了した時点、アドレス期間が終了して所定時間経過後の時刻ｔ１における電圧Ｖ１からランプ電圧Ｖrmpのスイープが開始される。その後、駆動ＴＦＴ２２がＯＮとなるランプ電圧において駆動ＴＦＴ２２に電流が流れ始め、発光素子（ＯＥＬ）２５は発光を開始する（時刻Ｔｓ）。ランプ電圧Ｖrmpは、時刻ｔｍ（Ｖrmp＝Ｖ２）において電圧Ｖ２から電圧Ｖ１に向けてスイープが反転する。そして、上記条件を満たさなくなる時点（Ｔｅ）まで発光素子（ＯＥＬ）２５は発光を維持し、その後発光を停止する。すなわち、発光素子（ＯＥＬ）２５は発光開始時刻Ｔsから発光停止時刻Ｔeまでの発光期間（発光期間の長さＴem）の間発光を維持する。【００８０】
上記したように、表示パネル１１の全ての画素のキャパシタ２４に共通の接続線であるランプ電圧ラインＷを介して、全ての画素に共通のランプ電圧Ｖrmpを印加するという簡易な構成で発光期間を制御できる。従って、画像輪郭が不鮮明となる画質劣化や疑似輪郭ノイズを抑制し、高品質の画像表示が可能な表示装置を提供することができる。【００８１】
なお、実施例２で説明したように、本実施例とは逆に、キャパシタ２４の第２の端子（電極Ｅ２）の電圧を固定し、駆動トランジスタ（Ｔｒ２）２２のソースの電圧をランプ電圧Ｖrmpによってスイープするようにしても本実施例と同様な効果が得られる。
【図１】
2007066550.tif 000003
【図２】
2007066550.tif 000004
【図３】
2007066550.tif 000005
【図４】
2007066550.tif 000006
【図５】
2007066550.tif 000007
【図６】
2007066550.tif 000008
【図７】
2007066550.tif 000009
【図８】
2007066550.tif 000010
【図９】
2007066550.tif 000011
【図１０】
2007066550.tif 000012
【図１１】
2007066550.tif 000013
【図１２】
2007066550.tif 000014
【図１３】
2007066550.tif 000015
【図１４】
2007066550.tif 000016
【図１５】
2007066550.tif 000017
【図１６】
2007066550.tif 000018
【図１７】
2007066550.tif 000019
【図１８】
2007066550.tif 000020
【図１９】
2007066550.tif 000021
【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
データ信号を保持するキャパシタ、該保持されたデータ信号電圧に基づいて発光素子を駆動する駆動トランジスタを含む発光素子駆動回路及び前記発光素子を各々が有して行及び列からなるマトリクス状に配された複数の画素部からなるアクティブマトリクス型の表示パネルと、前記画素部の行ごとに設けられた走査線の各々を順次走査する走査ドライバと、前記走査ドライバによる走査に応じて前記データ信号をデータ線を介して前記画素部に供給するデータドライバと、を有する表示装置であって、
各々が前記表示パネルの各走査線に対応して設けられ、前記走査線ごとに前記発光素子駆動回路に接続された接続線と、
前記駆動トランジスタの制御電極電圧を前記駆動トランジスタの他の電極の電圧に対して相対的に変化させて前記発光素子の発光状態を変化させるランプ電圧を生成するランプ電圧生成部と、
前記走査線の走査に応じて前記ランプ電圧を走査線ごとに前記接続線に供給するランプ電圧ドライバと、を有し、
前記キャパシタの第１の端子は前記駆動トランジスタの制御電極に接続されるとともに前記キャパシタの第２の端子は所定電圧に接続され、前記駆動トランジスタの前記他の電極は前記表示パネルの走査線ごとに前記接続線に接続されて前記ランプ電圧が印加されることを特徴とする表示装置。
【請求項２】
データ信号を保持するキャパシタ、該保持されたデータ信号電圧に基づいて発光素子を駆動する駆動トランジスタを含む発光素子駆動回路及び前記発光素子を各々が有して行及び列からなるマトリクス状に配された複数の画素部からなるアクティブマトリクス型の表示パネルと、前記画素部の行ごとに設けられた走査線の各々を順次走査する走査ドライバと、前記走査ドライバによる走査に応じて前記データ信号をデータ線を介して前記画素部に供給するデータドライバと、を有する表示装置であって、
前記駆動トランジスタの制御電極電圧を前記駆動トランジスタの他の電極の電圧に対して相対的に変化させて前記発光素子の発光状態を変化させるランプ電圧を生成するランプ電圧生成部と、
全ての前記駆動トランジスタの前記他の電極に前記ランプ電圧を印加するランプ電圧ドライバと、を有し、
前記キャパシタの第１の端子は前記駆動トランジスタの制御電極に接続されるとともに前記キャパシタの第２の端子は所定電圧に接続されていることを特徴とする表示装置。
【請求項３】
前記ランプ電圧生成部は、前記表示パネルの全走査線を走査する書込期間内において少なくとも１の走査線に接続された画素部の発光素子が発光を開始するように前記ランプ電圧を調整することを特徴とする請求項１又は２に記載の表示装置。
【請求項４】
前記ランプ電圧生成部は、前記ランプ電圧の傾斜を変化させて前記発光素子の発光タイミングを調整することを特徴とする請求項１又は２に記載の表示装置。
【請求項５】
（削除）
【請求項６】
前記ランプ電圧生成部は、前記発光素子の発光期間における総発光量が前記データ信号の表す輝度に応じた発光量であるように前記ランプ電圧を調整することを特徴とする請求項１又は２に記載の表示装置。
【請求項７】
前記ランプ電圧は三角波形状プロファイルを有することを特徴とする請求項１又は２に記載の表示装置。
【請求項８】
前記データドライバは、前記データ信号に応じた電流を前記キャパシタに供給して電流駆動を行う電流駆動ドライバであることを特徴とする請求項１乃至４、６及び７のいずれか１に記載の表示装置。
【請求項９】
前記発光素子駆動回路は前記駆動トランジスタの特性補償をなす補償回路を含むことを特徴とする請求項１乃至４、６乃至８のいずれか１に記載の表示装置。
【請求項１０】
（削除）
【請求項１１】
発光素子、データ信号を保持するキャパシタ、該保持されたデータ信号電圧に基づいて前記発光素子を駆動する駆動トランジスタを各々が有して行及び列からなるマトリクス状に配された複数の画素部からなるアクティブマトリクス型の表示パネルと、前記画素部の行ごとに設けられた走査線を順次走査する走査ドライバと、前記走査ドライバによる走査に応じて前記データ信号をデータ線を介して前記画素部に供給するデータドライバと、を有する表示装置の駆動方法であって、
前記データ信号に応じた電圧を前記キャパシタに保持させるステップと、
前記駆動トランジスタの制御電極電圧を前記駆動トランジスタの他の電極の電圧に対して相対的に変化させて前記発光素子の発光状態を変化させるランプ電圧を生成するランプ電圧生成ステップと、
前記表示パネルの走査線の走査に応じて、前記走査線ごとに前記駆動トランジスタの前記他の電極に前記ランプ電圧を印加するランプ電圧印加ステップと、を有し、
前記キャパシタの第１の端子は前記駆動トランジスタの制御電極に接続されるとともに前記キャパシタの第２の端子は所定電圧に接続されていることを特徴とする駆動方法。
【請求項１２】
発光素子、データ信号を保持するキャパシタ、該保持されたデータ信号電圧に基づいて前記発光素子を駆動する駆動トランジスタを各々が有して行及び列からなるマトリクス状に配された複数の画素部からなるアクティブマトリクス型の表示パネルと、前記画素部の行ごとに設けられた走査線を順次走査する走査ドライバと、前記走査ドライバによる走査に応じて前記データ信号をデータ線を介して前記画素部に供給するデータドライバと、を有する表示装置の駆動方法であって、
前記データ信号に応じた電圧を前記キャパシタに保持させるステップと、
前記駆動トランジスタの制御電極電圧を前記駆動トランジスタの他の電極の電圧に対して相対的に変化させて前記発光素子の発光状態を変化させるランプ電圧を生成するランプ電圧生成ステップと、
全ての前記駆動トランジスタの前記他の電極に前記ランプ電圧を印加するランプ電圧印加ステップと、を有し、
前記キャパシタの第１の端子は前記駆動トランジスタの制御電極に接続されるとともに前記キャパシタの第２の端子は所定電圧に接続されていることを特徴とする駆動方法。
【請求項１３】
前記ランプ電圧生成ステップは、前記表示パネルの全走査線を走査する書込期間内において少なくとも１の走査線に接続された画素部の発光素子が発光を開始するように前記ランプ電圧を調整することを特徴とする請求項１１又は１２に記載の駆動方法。
【請求項１４】
（削除）
【請求項１５】
前記ランプ電圧生成ステップは、前記表示パネルの全走査線を走査する書込期間内において少なくとも１の走査線に接続された画素部の発光素子が発光を開始するように前記ランプ電圧を調整することを特徴とする請求項１３に記載の駆動方法。
【国際調査報告】
2007066550.tif 000022
2007066550.tif 000023
2007066550.tif 000024
2007066550.tif 000025